(57)【要約】互いに親和性を有するリガンドおよびバインダーを含んでなるアフィニティー複合体の形成または解離に影響する１またはそれ以上の反応可変要素の特徴付けのためのマイクロスケール法。本方法は、(i)：共通の流動制御下のマイクロチャンネル構造を含んでなるマイクロ流体デバイスを提供すること、ここで、個々のマイクロチャンネル構造は反応微小空洞を含んでなり；(ii)：個々の２またはそれ以上の複数のマイクロチャンネル構造において本質的に平行に実験を行うこと、ここで、これら２またはそれ以上のマイクロチャンネル構造における実験は、a)固定された形態の複合体を形成すること、および流動条件下にて反応微小空洞内でこの形態を保持すること、またはb)工程(i)において提供されたマイクロ流体デバイス中に含まれる固定化された形態の複合体を、好ましくは流動条件下で、解離させること、のいずれかを含んでなり；該少なくとも１つの反応可変要素は、残りの反応可変要素が本質的に一定に維持されたまま、該２またはそれ以上のマイクロチャンネル構造に関して、異なるかまたは特徴付けされておらず；(iii)：当該２またはそれ以上のマイクロチャンネル構造中の当該反応微小空洞における複合体の提示を測定すること；および(iv)：工程(iii)において得られた提示値に基づく１またはそれ以上の反応可変要素を特徴付けすること、の工程を含んでなることを特徴とする。
2004529336.tif 000002
【特許請求の範囲】
【請求項１】
互いに親和性を有するリガンドおよびバインダーを含んでなるアフィニティー複合体の形成または解離に影響する少なくとも１つの反応可変要素の特徴付けのための少なくとも１つの反応可変要素を特徴付けるためのマイクロスケール法であって：
(i)：共通の流動制御下の複数のマイクロチャンネル構造を含んでなるマイクロ流体デバイスを提供すること、ここで、個々のマイクロチャンネル構造は反応微小空洞を含んでなり；
(ii)：個々の２またはそれ以上の複数のマイクロチャンネル構造において本質的に平行に実験を行うこと、ここで、これら２またはそれ以上のマイクロチャンネル構造における実験は、
(a)固定された形態の複合体を形成すること、および流動条件下にて反応微小空洞内でこの形態を保持すること、または
(b)工程(ii)の前に導入された固定化された形態の複合体を、好ましくは流動条件下で、解離させること、
のいずれかを含んでなり；
該少なくとも１つの反応可変要素は、該２またはそれ以上のマイクロチャンネル構造に関して、異なるかまたは特徴付けされておらず；
(iii)：個々の当該２またはそれ以上のマイクロチャンネル構造中の当該反応微小空洞における複合体の提示を測定すること；および
(iv)：工程(iii)において得られた提示値に基づく少なくとも１つの反応可変要素を特徴付けすること、
の工程を含んでなることを特徴とする方法。
【請求項２】
２またはそれ以上のマイクロチャンネル構造の個々の微小空洞が、工程(ii)において保持されるアフィニティー複合体に組み込まれ得るアフィニティー反応物質が結合した固相を含んでなることを特徴とする、請求項１に記載の方法。
【請求項３】
請求項１または２のいずれかに記載の方法であって、
(ａ)マイクロ流体デバイスが対称軸を有する基板を含んでなり、
(ｂ)個々のマイクロチャンネル構造が、対称軸に対して、反応微小空洞よりも短い半径距離に引入れポートを有するように方向付けされ、そして
(ｃ)基板が、マイクロチャンネル構造内で液体を駆動するために、対称軸のまわりを回転する
ことを特徴とする方法。
【請求項４】
請求項１または２のいずれかに記載の方法であって、
(ａ)マイクロ流体デバイスが対称軸を有する基板を含んでなり、
(ｂ)個々のマイクロチャンネル構造が、対称軸に対して、反応微小空洞に液体を送達する下位構造よりも長い半径距離に反応微小空洞を有するように放射状に方向付けされ、そして
(ｃ)基板が、マイクロチャンネル構造内で液体を駆動するために、対称軸のまわりを回転する
ことを特徴とする方法。
【請求項５】
請求項１〜４のいずれかに記載の方法であって、
個々のマイクロチャンネル構造が反応微小空洞の下流に流動制限を含んでなり、これが反応微小空洞を通る流れを制限する圧力差を生み出すことを特徴とする方法。
【請求項６】
請求項１〜５のいずれかに記載の方法であって、工程(iii)が、
(ａ)流れの方向に沿った反応微小空洞における複合体の分配、または
(ｂ)反応微小空洞における複合体の総量
を測定することにより行われることを特徴とする方法。
【請求項７】
請求項１〜６のいずれかに記載の方法であって、工程(iii)が、反応微小空洞における複合体の総量を測定することを含んでなることを特徴とする方法。
【請求項８】
請求項１〜７のいずれかに記載の方法であって、個々の実験が反応微小空洞内での固定化形態の複合体の形成を含んでなることを特徴とする方法。
【請求項９】
請求項１〜７のいずれかに記載の方法であって、実験が、工程(i)において提供されたマイクロ流体デバイス中に含まれる固定化形態の複合体を流動条件下で解離させることを含んでなることを特徴とする方法。
【請求項１０】
請求項１〜９のいずれかに記載の方法であって、マイクロチャンネル構造間で変動する少なくとも１つの反応可変要素がグループ１またはグループ２の反応可変要素の中から選択されることを特徴とする方法。
【請求項１１】
請求項１〜１０のいずれかに記載の方法であって、反応微小空洞中に保持される複合体の形成が競合／阻害プロトコールまたは非競合プロトコールの一部であることを特徴とする方法。
【請求項１２】
請求項１１に記載の方法であって、少なくとも１つの反応可変要素がアフィニティー反応物質に関することを特徴とする方法。
【請求項１３】
請求項１２に記載の方法であって、少なくとも１つの反応可変要素がアフィニティー反応物質の量に関することを特徴とする方法。
【請求項１４】
請求項１２に記載の方法であって、少なくとも１つの反応可変要素がアフィニティー反応物質の親和性に関することを特徴とする方法。
【請求項１５】
請求項１〜１４のいずれかに記載の方法であって、工程(iii)が個々の２またはそれ以上のマイクロチャンネル構造中の反応微小空洞における流れの方向に沿った複合体の分配を測定することを含んでなることを特徴とする方法。
【請求項１６】
請求項１５に記載の方法であって、工程(iv)が、少なくとも１つの反応可変要素における変動関数としてリガンドおよびバインダーの相対親和性を特徴付けることを含んでなることを特徴とする方法。
【発明の詳細な説明】
【技術分野】
【０００１】
本発明は、リガンドおよびバインダーを含むアフィニティー複合体の形成または解離に影響する少なくとも１つの反応可変要素の特徴付けのマイクロスケール法に関するものである。リガンドおよびバインダーは互いに親和性を有し、そしてアフィニティー対応物である。
【背景技術】
【０００２】
マイクロスケール法は、従来から、
(ａ)レセプター−リガンド相互作用に基づく新規医薬候補物質、および
(ｂ)アフィニティーアッセイ、アフィニティークロマトグラフィーなどのための新規リガンド候補物質、
の化合物のスクリーニングライブラリーのためのリガンドおよびバインダーの新規組合せを見出すために使用されてきた。
マイクロスケール法は、また、特定のアフィニティー複合体の形成または解離の条件を最適化するため、あるいは、他の理由でアフィニティー対応物を選択する場合に、示唆されてきた。
【０００３】
マイクロスケール法は、また、試料中の特定化合物(被検体)の量を測定するために使用されてきた。
【０００４】
固相に固定された、または固定可能なアフィニティー対応物によりバインダーまたは被検体のアフィニティー捕捉(affinity capture)に基づく方法が使用されてきた。
【０００５】
典型的には、固相上での複合体の形成は、非流動条件(non-flow-condition)で行われる。例えば、Eteshola et al, Sensors and Actuators B 72 (2001) 129-133; Sato et al, Anal. Chem. 72 (2000) 1144-1147; および WO 9721090 (Gamera, Mian et al)参照。
【０００６】
非流動条件は該方法を単純化するが、流動条件下で行われる実験からのみ得られ得る情報が失われる。小分子に関して、非流動条件は許容される。何故なら、それらの拡散速度は、しばしば、比較的高く、そして結合のためのそれらの結合部位の方向付けが複雑でないからである。このことは、通常、より大きな分子には当てはまらない。液流を制御することなく、大分子に関する正確な情報を得ることは困難である。
【０００７】
近年、逆相マトリックスへのアフィニティー結合に基づくＭＡＬＤＩ ＭＳ統合マイクロ流体アフィニティーシステムが開発された。このシステムにおいて、タンパク消化物が逆相マトリックスに吸収され、そしてその後、脱離し、そしてＭＡＬＤＩ ＭＳターゲットとして機能する引出しポートに輸送される。(マイクロ流体コンパクトディスク(改良された感度を有するＣＤ)上での、統合サンプルの調製およびＭＡＬＤＩ ＭＳ(Magnus Gustavsson et al) ASMS 2001)。結合における再現性、液体の流速の制御、および滞留時間に対する要求は低かった。
【０００８】
ＷＯ ０１３８８６５(Univ. of Alberta, Harrison et al)は、流動条件およびアフィニティー結合を用いる単一のマイクロチャンネル構造における固相抽出方法を記載している。別の実施例において、該刊行物は、テオフィリンでの、固相結合抗テオフィリン抗体の飽和を示す。
【０００９】
定義
反応可変要素は、主に次の２種：すなわち１)ａ)存在および／または非存在を含む量、およびｂ)親和性を含むアフィニティー反応物質の性質、のサブグループを有するアフィニティー反応物質に関連する可変要素、ならびに２)反応条件である。
【００１０】
グループ１ａ)は、質量単位、モル単位、相対量、活性／質量単位、活性／体積単位、相対活性などの量を含む。活性は、(i)生物学的活性、(ii)アフィニティー対応物の結合活性などを意味する。生物学的活性には、酵素活性、天然または合成アフィニティー対応物に対する結合活性、細胞活性などが含まれる。
【００１１】
グループ１ｂは、アフィニティー反応物質(リガンドおよび／またはバインダー)の特性を含む。
【００１２】
典型的には、このグループは、アフィニティー複合体、酵素、基質、コファクター、補助基質、補酵素、受容体、ホルモン、抗体およびその抗原／ハプテン結合フラグメント、抗原／ハプテンなどの形成または解離のインヒビターおよびプロモーターの特性を含む。合成および組換えの形態が含まれる。
【００１３】
グループ１ｂの可変要素が試料、マイクロチャンネル構造物、反応微小空洞(reaction microcavities)、液体のアリコートなどの間で変動するかまたは異なる場合、このことは主として異なる分子がそれぞれのユニットに存在することを意味する。
【００１４】
グループ１ｂに関連する特性は、親和性定数(および解離のための対応する定数)、形成および解離の速度、バインダーが親和性を有する対応物(複数も可)およびその逆(特異性、選択性など)などに関する知識を含む親和性を含む。親和性には、また、異なる複合体の相対的な親和性、例えば共通リガンド 対 ある範囲のバインダー、およびその逆、共通複合体 対 反応条件の変化などが含まれる。
【００１５】
この文脈における反応条件は、アフィニティー反応物質の性質に関連しない反応可変要素を意味する。反応条件には、ｐＨ、温度、イオン強度(塩の種類を含む)、水素結合破壊剤(変性剤、量および種類)、洗剤(量および種類)、液流、固定技術、固相などが含まれる。
【００１６】
グループ１の可変要素に関して特徴付けられるべきアフィニティー反応物質(リガンドおよびバインダー)は、「被検体(analyte)」と呼ばれる。「被検体」なる用語は、また、工程(ii)のためにマイクロ流体デバイスにおいて使用される試料へと処理されるオリジナルの試料中のオリジナルの被検体から生じた被検体由来物質を含む。この処理は、マイクロ流体デバイスの外側、および／または、マイクロ流体デバイス中の個別の下位構造において起こり得る。処理された試料中の被検体由来物質の量は、オリジナルの試料のオリジナルの被検体の存在の関数である。
【００１７】
「類似体(analogues)」なる用語は、共通のアフィニティー対応物へのアフィニティー結合に関して、互いに阻害または競合できる２またはそれ以上のバインダーまたはリガンドに使用される。
【００１８】
マイクロ流体デバイスは、液流が反応物質の輸送のために使用される少なくとも１つのマイクロチャンネル構造を含んでなる。
【００１９】
「マイクロフォーマット」、「マイクロチャンネル」などの用語は、マイクロチャンネル構造が≦１０３μｍ、好ましくは≦１０２μｍの深度および／または幅を有する１またはそれ以上の空洞および／またはチャンネルを含むことを意味する。微小空洞／マイクロチャンバーの容積は、典型的には、≦１０００ｎｌ(ナノリットルの範囲)、例えば≦５００ｎｌまたは≦１００ｎｌまたは≦５０ｎｌであるが、また、さらに大きくても、すなわち１〜１０００μｌ、例えば１〜１００μｌまたは１〜１０μｌの間であってもよい。
【００２０】
「マイクロ流動方法(microfluidic method)」なる用語は、(ａ)マイクロ流体デバイスにおいて実施される方法、および(ｂ)液体容積がマイクロフォーマットであることを意味する。
【００２１】
「ライブラリー」は、２、３、４またはそれ以上、例えば≧１０、例えば≧１００または≧１０００または≧１００００の化合物または物質の集合である。典型例は、組換え、合成または天然の、ヌクレオチド、オリゴヌクレオチド、ポリヌクレオチド、アミノ酸、オリゴペプチド、ポリペプチド、タンパク質、脂質、他の有機および無機化合物、炭水化物、細菌、ファージ、ポリマー、バイオポリマーなどである。個々のライブラリーには、異なるクラスのメンバー、例えばポリペプチドとポリヌクレオチド、炭水化物とタンパク質などが含まれてもよい。ライブラリーは、また、個々のタンパク質が翻訳後修飾、イソ酵素のようなイソタンパク質などにより互いに関係する天然由来の集合、例えば天然のタンパク質の集合を含み得る。ライブラリーをもたらし得る翻訳後修飾の例は、リン酸化、活性化開裂(activating cleavage)、グリコシル化、ユビキチン化などである。
【００２２】
「ライブラリー」なる用語は、また、他の反応可変要素、例えば種々のｐＨ値、種々の固定基(immobilization group)、種々のイオン強度、種々の濃度、種々の塩、種々の固相、種々のスペーサーの集合を含む。
【００２３】
「ライブラリー」は、また、少なくとも１つの反応可変要素に関して異なる試料(液体のアリコート)のコレクションを含む。
【００２４】
本発明の目的
第１の目的は、特異的なアフィニティー結合および固相への捕捉に基づくアッセイ方法を用いることにより、複数の試料中の被検体の量を定量する、改良されたマイクロスケール法を提供することである。
【００２５】
第２の目的は、マイクロ流体デバイスのマイクロチャンネル構造に組み込まれた場合、マイクロ流体デバイス中の個々のマイクロチャンネル構造における流速を標準化する流動機能(fluidic function)を提供すること、すなわち、チャンネル間の変動が許容レベルまで減少するように流速を制御することである。
【００２６】
本発明の第３の目的は、新規かつ最適のバインダーとリガンドの組合せを見出すため、および／または、ある範囲のアフィニティー複合体、リガンドおよびバインダーの親和性を等級付けするため、および／または、流動条件下で固定されたアフィニティー複合体の形成または解離に関する工程を最適化するために、反応可変要素の平行スクリーニング(parallel screening)に使用され得る堅固なマイクロ流体システムおよび方法を提供することである。
【００２７】
これらの目的は、主として、比較的大きく、そして／または、窒素、酸素、硫黄およびリンから選択されるヘテロ原子を含んでなる１またはそれ以上の官能基を含む、少なくとも１つのアフィニティー反応物質に関与する相互作用を利用する方法に関する。この文脈における「比較的大きい」は、アフィニティー反応物質が同時に２つのアフィニティー対応物と結合でき、そして／または、≧１０００ダルトン、例えば≧２０００もしくは１００００ダルトンの分子量を有することを意味する。典型的には、アフィニティー反応物質の１つは、ポリマー、例えば炭水化物構造および／またはペプチド構造および／またはヌクレオチド構造および／または脂質構造を含んでなるバイオポリマーである。大きくない分子は、小分子と考えられる。
【図面の簡単な説明】
【００２８】
【図１】図１ａおよび１ｂは、有意な圧力差を生み出す狭い微小導管を有する好適なマイクロチャンネル構造の態様を示す。本態様は、実験の部において示されたモデル研究で使用された。図１ａが大きさ(dimension)を与え、そして図１ｂが疎水性表面ブレークおよびそれらの大きさを与えること以外は、図１ａおよび１ｂは同じである。
【図２】図２は、実験の部において使用されたのと同一の種類のマイクロチャンネル構造の集合を示す。該構造は、共通分配チャンネルおよび共通廃棄チャンネルによりともにつながれている。
【図３】図３は、反応微小空洞および圧力差を生み出す手段を含む下位構造の主要部を示す。
【図４】図４は、実験の部において得られた結果を表す。  図１〜２に示された構造は、対称軸(回転軸)のまわりの円板上に配置されることが意図されている。矢印は、ディスクの中心の方向を示す。また、弓形の配置にも注意。
【００２９】
発明の要約
本発明者らは、上の「技術分野」に記載した方法が、
(ａ)流動が共通の流動制御下にある２またはそれ以上のマイクロチャンネル構造を含んでなるマイクロ流体デバイスを利用すること、ならびに
(ｂ)少なくとも２つのマイクロチャンネル構造において流動条件下でアフィニティー複合体を形成させること、および使用された個々のマイクロチャンネル構造中の反応微小空洞において流動条件下で形成された、固定化形態のアフィニティー複合体を保持すること、
により改善され得ることを認めた。
【００３０】
同様の方法で、共通の流動制御および流動条件の原理が、解離反応に影響する反応可変要素の特徴付けに関して、反応微小空洞において保持されるアフィニティー複合体の解離に適用される。
【００３１】
本発明者らは、また、同一のデバイス内の異なるマイクロチャンネル構造間の、流動のバラツキの効果(チャンネル間変動)を低減化し得る、多くのさらなる特徴：
(ａ)有意な圧力差を生み出す個々のマイクロチャンネル構造における反応微小空洞の下流の、流動制限手段、
(ｂ)有意な圧力差を生み出すための個々のマイクロチャンネル構造の、所望の部分、例えば、反応微小空洞または反応微小空洞の下流付近に配置された、多孔性マトリックス、
(ｃ)反応微小空洞における不均一粒子(polysized particle)の代わりの均一粒子(monosized particle)の充填床、
(ｄ)特に流動開始時、ならびに／または、液体が分岐および湾曲部を通過するとき、流動抵抗におけるチャンネル間変動を克服するために流れを増加させるパルス、
(ｅ)反応微小空洞から排液を引き入れる引出し微小導管の引出し口の下流かつ近位の、内部エッジにおける抗排出手段、
(ｆ)反応微小空洞における過剰の固相アフィニティー反応物質(例えば、バインダー(固定された反応物質))、
(ｇ)反応微小空洞における複合体の形成のために、０．０１０秒以上の滞留時間を達成する流速を選択すること、
を認めた。
有意な圧力差は、流動抵抗におけるチャンネル間変動と関連している。
【００３２】
発明の詳細な記載
本発明は、少なくとも１つの反応可変要素を特徴付けるためのマイクロスケール法である。本方法は、最初のパラグラフにおいて一般的に定義されている。特徴付けの特徴は、４つの工程：
工程(i)：共通の流動制御下にある複数のマイクロチャンネル構造を含んでなるマイクロ流体デバイスを提供すること。個々の構造は、アフィニティー複合体を保持するための反応微小空洞を含んでなる。
工程(ii)：個々の２またはそれ以上の複数のマイクロチャンネル構造において本質的に平行に実験を行うこと。個々の実験は：
(a)固定された形態の複合体を形成させること、および流動条件下にて反応微小空洞内でこの形態を保持すること、または
(b)反応微小空洞内で固定された形態の複合体を解離させること、
を含んでなる。
言及された反応可変要素は、２またはそれ以上の実験に関して、異なり、そして／または特徴付けされていない。他の反応可変要素は、本質的に一定に維持される。解離は、典型的には、流動条件下で行われる。(ｂ)における固定化形態は、工程(ii)の前に導入される。保持された複合体の形成は、リガンドおよびバインダーの導入の関数である。
工程(iii)：個々の当該２またはそれ以上のマイクロチャンネル構造中の反応微小空洞における複合体の提示を測定すること、
工程(iv)：工程(iii)において測定された提示値に基づく少なくとも１つの反応可変要素を特徴付けすること、
を含んでなる。
【００３３】
該実験は、該デバイスの引入れポートに適当な液体アリコートを導入すること、および液流のために適当な駆動力を適用すること、により開始される。
【００３４】
同一のマイクロ流体デバイスにおいて、また、他の類似または非類似の実験が、上で定義されたものと平行して行われ得る。
【００３５】
この文脈における「本質的に一定」なる用語は、他の可変要素が、実験の結果が本質的に同一である範囲内に維持されていることを意味する。
【００３６】
好適な可変要素において、該方法において使用されそして工程(i)において提供される反応微小空洞は、工程(ii)において固定化複合体へと組み込まれるアフィニティー反応物質(アフィニティーバインダー)を含んでなる。
【００３７】
工程(工程(i)および工程(ii))のための、共通の流動制御および液流条件
「共通の流動制御」なる用語は、液流のための駆動力がマイクロチャンネル構造(構造１)の一部分に適用された場合、該デバイスの個々の他のマイクロチャンネル構造の対応部分における液流のための駆動力も適用され得ることを意味する。個々のチャンネルにおける駆動力は、同一の発生源、例えば、遠心力が駆動力である場合には、回転、に由来する。さらに、１つのマイクロチャンネル構造における駆動力の増加または減少は、他のマイクロチャンネル構造における増加または減少と平行である。その力のサイズ(および液体の流速)は、共通の流動制御が適用された異なるマイクロチャンネル構造間で異なり得る。例えば、遠心力に基づくシステムにおいては、マイクロチャンネル構造の設計は異なり得、そして／または、マイクロチャンネル構造は異なる半径距離に配置され得る。
【００３８】
共通の流動制御は、主として、固定化複合体が形成されそして保持されている場合の、反応微小空洞(固相)を通過する流動を意味する。流動制御は、該構造の他の部分において、および／または該方法の他の工程に関して、あまり重要でなくてもよい。
【００３９】
液流は、該デバイスの内部または外部のどちらかに存在する別個の手段により駆動され得る。したがって、液流は、電気浸透、マイクロポンプ、膨張ガスなどにより生じ得る。もう一つの変法は、液体を駆動するための毛管力ならびに重力および遠心力を含む慣性力などの力、すなわちマイクロ流体デバイス上で手段を必要としない力、を使用することである。
【００４０】
反応微小空洞(工程(ii))を通過する適当な流速は、多くの要因、例えば固定化複合体を形成するために使用されるアフィニティー対(affinity pair)、反応微小空洞の容積、微小空洞の固相などに依存する。典型的には、流速は、典型的には２時間以下、例えば１時間以下という上限を有する、０．０１０秒以上、例えば０．０５０秒以上または０．１秒以上の滞留時間を与える。例示的な流速は、０．０１〜１００ｎｌ／秒、典型的には０．１〜１０ｎｌ／秒の範囲内である。滞留時間は、液体アリコートが反応微小空洞(すなわち、固相)を通過するのに要する時間を意味する。
【００４１】
許容される流動制御は、反応物質の濃度、それらの拡散特性および反応速度などを含む特定の適用に依存する。多くの場合において、十分な流動制御は、滞留時間のチャンネル間変動が、平均滞留時間±９０％、例えば±７５％または±５０％または±２５％の範囲内であることを意味する。
【００４２】
本発明の好ましい態様において、共通の流動制御は、マイクロチャンネル構造が基板(substrate)の対称軸に関して内側の位置から外側の位置へと方向付けられたマイクロ流体デバイスを回転させること、および液体を駆動するために遠心力を利用すること、により達成される。共通の流動制御は、また、遠心力が、マイクロチャンネル構造の外向(下向)および／または内向(上向)湾曲を通って液体アリコートを駆動するために、構造内の十分な局所的流体静力学的圧力を生じさせるために使用されることを含む。例えば、ＷＯ ０１４６４６５(Ｇｙｒｏｓ ＡＢ)参照。
【００４３】
典型的な回転速度は、５０〜２５０００ｒｐｍ、例えば５０〜１５０００ｒｐｍの間である。所定のプロトコールにおける回転速度は変動し得、例えば連続的な個々の勾配の加速、減速および一定の回転を含み得る。一定の位置での増加した回転のパルスを含むことが有益であり得る。上記を参照。
【００４４】
マイクロ流体デバイス(工程(i))
本発明は、主として、マイクロチャンネル構造が、対称軸を有する基板(マイクロ流体デバイス)中に存在する幾何学的配置を意図する。次いで、個々のマイクロチャンネル構造は、対称軸に対して外側に方向付けられる、すなわち、
(ａ)反応微小空洞が、該反応微小空洞へと液体を送達する構造ユニットも含む下位構造の一部であり、そして
(ｂ)後者のユニットは、反応微小空洞よりも短い半径距離に位置し、そして引入れポートと連絡している。
【００４５】
引入れポートは、典型的には、反応微小空洞よりも短い半径距離に位置する。反応微小空洞の下流に、引出しポートが存在し得、典型的には、それは反応微小空洞よりも大きい半径距離に位置し得る。液体をマイクロチャンネル構造に導入するために、毛管力および／または非遠心力を利用することにより、引入れポートは、原則的に、任意の半径距離、例えば引出しポートおよび／または反応微小空洞よりも対称軸から離れて、位置し得る。
【００４６】
マイクロチャンネル構造は、対称軸に垂直な平面内に方向付けられても、方向付けられなくてもよい。
【００４７】
遠心力に基づくシステムにおいて、「高部」または「上部」レベル／位置は、「下部」レベル／位置(外側位置)と比較して、より短い半径距離(内側位置)にある。同様に、「上」、「上方」、「内方」および「下」、「下方」、「外方」などの用語は、それぞれ、回転軸への向きおよび回転軸からの向きを意味する。この用語の用法を特に断りのない限り適用する。他の配置／基板および通常の駆動力、すなわち重力、外から適用された圧力、電気浸透的駆動力などに関して、これらの用語は、通常の意味を有する。
【００４８】
対称軸にはｎの番号(Ｃｎ)を付すが、この場合、ｎは２と∞との間の整数、好ましくは６、７、８およびそれ以上、例えば∞である。好適な例において、基板(マイクロ流体デバイス)そのものは、円状、円筒状、球状または円錐状の対称性(Ｃ∞)を有する。
【００４９】
好適なデバイスは、典型的には、慣用的ＣＤフォーマットに類似した、例えば慣用的ＣＤ半径の１０％〜３００％の間の、サイズおよび形態を有するディスク形態である。
【００５０】
適当なマイクロ流体デバイスは、後の工程において別の平面基板(蓋)により覆われる複数の非被覆マイクロチャンネル構造を含んでなる平面基板表面から製造され得る。ＷＯ ９１１６９６６(Ｐｈａｒｍａｃｉａ Ｂｉｏｔｅｃｈ ＡＢ)およびＷＯ ０１５４８１０(Ｇｙｒｏｓ ＡＢ)参照。少なくとも１つの基板、例えば第２の基板(蓋)は、透明であり得る。両方の基板は、好ましくは、プラスチックの材料、例えばプラスチックポリマー材料から作製される。
【００５１】
異なる適用は、異なる表面特性を必要とする。このことは、水性の液体がマイクロチャンネル構造内を輸送されるべき場合には、親水性化が必要とされ得ることを意味する。例えば、ＷＯ ００５６８０８(Ｇｙｒｏｓ ＡＢ)およびＷＯ ０１４７６３７(Ｇｙｒｏｓ ＡＢ)参照。水性の液体に関して、内部表面の必須部分は、使用時の温度で、≦９０°、例えば、≦４０°または≦３０°または≦２０°の水接触角を有するべきである。チャンネルを囲む少なくとも２または３の内壁は、この範囲にしたがうべきである。受動バルブの表面、抗排出手段などは、これらの一般則から除外される。
【００５２】
非湿潤性表面ブレークは、非被覆マイクロチャンネル構造を覆う前に、マイクロチャンネル構造の内壁において予め決められた位置に導入され得る(ＷＯ ９９５８２４５、Ａｍｅｒｓｈａｍ Ｐｈａｒｍａｃｉａ Ｂｉｏｔｅｃｈ ＡＢおよびＷＯ ０１８５６０２、Åｍｉｃ ＡＢ ＆ Ｇｙｒｏｓ ＡＢ)。水性の液体に関して、これは疎水性表面ブレークを意味する。表面ブレークは、該構造、例えば抗排出、受動バルブ、導液(directing liquid)などの内部の液流を制御するために使用され得る。下記参照。図１ａにおいて、表面ブレークは直交平行線で陰影をつけた箇所であり、そして被覆用基板(蓋)の開口部(引入れ口、引出し口、湾曲部)は、平行線を付けた円で表される。
【００５３】
図１ａ−ｂおよび２は、本発明において使用され得るマイクロチャンネル構造(１０１)を示す。該構造は、１またはそれ以上の引入れ微小導管(１０２および１０３)および引出し口(１０６)を有する引出し微小導管(１０５)と連結した反応微小空洞(１０４)を含んでなる。該構造が使用される場合、固定化複合体は反応微小空洞(１０４)に保持される。代わりに、反応微小空洞は、最初からアフィニティー複合体を含み、そして該方法は複合体の解離を意味する。
【００５４】
２またはそれ以上の引入れ微小導管(１０２および１０３)が存在する場合、それらは、典型的には、反応微小空洞(１０４)に到達する前に合流している。反応微小空洞が粒子の形態の固相を含む場合、引出し微小導管(１０５)への侵入は、典型的には、粒子が引出し微小空洞に入るのを防止する断面領域における鋭い斜面である。
【００５５】
遠心力に基づくシステムに関して、２つの引入れ微小導管(１０２および１０３)は、典型的には、その引入れ微小導管(１０２および１０３)に対応する軸部を有する下向湾曲(１０７)を形成する。引出し微小導管(１０５)は、反応微小空洞(１０４)を介して、該湾曲の下部に連結している。
【００５６】
引入れ微小導管(１０２、１０３)は、機能ユニットを介して引入れポート(１０８、２０８ならびに２０９および２１０)に連結され得る。該ユニットは、１つの引入れ微小導管(１０２)に連結した計量用空洞(１１２)、および計量用空洞(１１２)と引入れユニット(１１４)との間の狭い導管部分に始まり、そして例えば、共通廃棄リザーバー／チャンネル(１１５、２１５)を含んでなる廃棄機能で終わるオーバーフローチャンネル(１１３)を含んでなる、容積規定ユニット(１１１)であり得る。該廃棄機能は、１またはそれ以上の引出しポート(１１６２１６)を有し得る。容積規定ユニット(１１１)は、オーバーフローチャンネル(１１３)と、および計量用微小空洞(１１２)の引出し口と、結合したバルブ機能(１１７、１１８)を含んでなる。
【００５７】
遠心力に基づくシステムに関して、これらのバルブ機能は、典型的には、受動的であり、そして好ましくは表面特性の局所的変化に基づく。バルブ機能(１１８)は、バルブ機能(１１７)よりも大きい半径距離に位置する。このことは、これらのバルブの位置は、オーバーフローチャンネル(１１３)中の液体が、計測用微小空洞(１１２)中の液体が引入れ微小導管(１０２)に入るよりも低い回転速度で廃棄機能に入ることを支持するように選択されること意味する。この種の容積規定ユニット(１１１)は、主として、容積に関して高い正確性で導入されるべき液体アリコートを意図している。これは、
(ａ)被検体、および／または
(ｂ)マイクロチャンネル間で変動するグループ２の反応可変要素、および／または
(ｃ)高い正確性で送達されなければならない他の任意の試薬
を含む液体アリコートを意味する。
タイプ(ａ)および(ｂ)のアリコートを、アリコート１と呼ぶ。
【００５８】
１つの引入れ微小導管(１０２、１０３)に連結された別の機能ユニットは、個別のマイクロチャンネル構造に液体アリコートを分配するためのユニットである。該ユニットは、いくつかのマイクロチャンネル構造(１０１、２０１)に共通する分配チャンネル(１１９、２１９)の形態であり得る。遠心力に基づくシステムに関して、チャンネルは、個々の上部(１２０)において周囲大気へとつながる引入れ湾曲部(１２２、２２２)を有する別の上部および下部(それぞれ、１２０、２２０および１２１、２２１)を有し、そして個々の下部(１２１)において、バルブ機能(１２３)を介して、個々のマイクロチャンネル構造(１０１、２０１)の１つの引入れ導管(１０３、２０３)に流動的に連絡している。該湾曲部(１２２、２２２)は、共通の湾曲部チャンネル(１２４、２２４)を介して周囲大気と連絡している。分配チャンネルは、１またはそれ以上の引入れポート(２０９、２１０)および１またはそれ以上の引出しポート(１２５、２２５)を有し得る(１つだけ示した。)。
【００５９】
図において示したように、引出し口(１０６)は、(マイクロチャンネル構造に属する)廃棄導管チャンバー(１２６)へと注ぎ得る。次に、このチャンバーは、共通の廃棄導管または共通の廃棄リザーバー(１１５)に注ぎ得る。好ましくはないけれども、別の態様において、引出し導管(１０５)は、共通の廃棄チャンバーまたは周囲大気へと直接的に注ぎ得る。受動バルブを利用する遠心力に基づくシステムに関して、引出し微小導管(１０５)の引出し口(１０６)は、典型的には、反応微小空洞(１０４)と同じかまたはそれより高いレベル(好ましくはその頂部)に位置する。本発明の１つの発明的観点にしたがって、反応微小空洞(１０４)における固相と組み合せた引出し微小導管(１０５)は、マイクロチャンネル構造を通過する液流に対して圧力差を生み出すことができ、これは反応微小空洞(１０４)の上流を流動に対する抵抗よりも有意に大きい。微小導管における圧力差は、その長さに比例し、そしてその流体力学的断面積に反比例する。
【００６０】
本発明において、反応微小空洞(１０４)と廃棄チャンバー(１２６)との間の引出し微小導管(１０５)にわたる圧力差は、(ａ)反応微小空洞の上流の内部表面特性および(ｂ)使用された固相(例えば、パッキング・ジオメトリーは異なり得る)に主として依存する流動抵抗におけるチャンネル間の差異(バラツキ)を一様にするのに十分なほど高くあるべきである。
【００６１】
概説した原理から、実験の部において使用されたマイクロチャンネル構造の設計：
(ａ)１００μｍの深度および２５０μｍの幅を有する反応微小空洞(１０４)、
(ｂ)１０μｍの深度、２０μｍの幅および４．５６ｍｍの長さを有する引出し微小導管(１０５)、
が導かれる(図１−２)。
マイクロチャンネル構造の他の部分は、１００μｍの深度を有する。
【００６２】
周囲大気への通気口(vent)は、
(ａ)液体がマイクロチャンネル構造中へと導入されたときに「デッドエンド」において生じ得る過剰圧力を一様にするか、または
(ｂ)一定の位置で流れを遮る
のに適した位置に存在し得る。
【００６３】
図１−２に示した態様において、第２の種類が引入れポート(１０８、２０８)に存在する。液流を中断する通気機能(１２２、２２２および１２７、２２７)は、また、共通分配チャンネルおよび廃棄チャンバー(それぞれ、１１９、２１９および１２６、２２６)に存在する。
【００６４】
引入れポート(１０８、２０８ならびに２０９および２１０)は、好ましくは、微小空洞(１２８)に連結され、これは、典型的には、マイクロチャンネル構造の内部が狭くなっており、そして流れの方向に縦の突起(リッジ)(１２９)を有する。これらのリッジは、分散された液体アリコートの、引入れユニットの内部への迅速な輸送を促進する。引入れポートは、また、引入れユニット(１１４)へと分散液を指向させる(典型的には、疎水性化された)非湿潤領域(１３０、直交平行線)を有してもよい。
【００６５】
不所望の損失および毛管作用による液体の輸送を防止するために、マイクロチャンネル構造は、表面特性が変化した形態の、選択された位置に抗排出手段を備えていてもよい。該変化は典型的には局所的であり、そして幾何学的表面特性(１３１)および／または化学的表面特性(１３２、１３３)(直交平行線で陰影をつけた領域)に関係し得る。ＷＯ ９９５８２４５(Ａｍｅｒｓｈａｍ Ｐｈａｒｍａｃｉａ Ｂｉｏｔｅｃｈ ＡＢ)ならびにＵ.Ｓ. Ｓ.Ｎ. ６０／３１５,４７１および対応する国際特許出願参照。水性の液体に関して、これは、該変化が親水性から疎水性への変化であることを意味する。また、抗排出機能(１３４、１３５、１２３、１１７)(直交平行線)は、内部通気口(１２７、１２２)および受動バルブ(１２３、１１７)にも存在する。
【００６６】
バルブは、好ましくは受動的である。すなわち、液体の通過は、適用された駆動力ならびにバルブ位置での液体と内部表面との間の物理化学的釣合い(physicochemical match)に依存する。可動性の機械的部分は必要ない。例は、純粋に幾何学的特性における変化に基づいたキャピラリーバルブである(ＷＯ ９６１５５７６(Ｄａｖｉｄ Ｓａｒｎｏｆｆ Ｒｅｓ. Ｉｎｓｔ.)およびＷＯ ９８０７０１９(Ｇａｍｅｒａ)。好適な受動バルブは、化学表面特性、すなわち非湿潤性表面ブレークにおける変化に基づくものである。水性の液体に関して、これは、疎水性表面ブレークを意味する(ＷＯ ９９５８２４５、Ａｍｅｒｓｈａｍ Ｐｈａｒｍａｃｉａ Ｂｉｏｔｅｃｈ ＡＢ)。バルブは、また、化学的および幾何学的表面特性の両方における変化の組合せに基づき得る。該変化は、典型的には、局所的である。また、Ｕ.Ｓ. Ｓ.Ｎ. ６０／３１５,４７１および対応する国際特許出願参照。他の種類のバルブもまた使用され得る。
【００６７】
引入れユニット、分配ユニット、容積規定ユニット、廃棄導管、抗排出手段およびバルブ、特に遠心力に基づくシステムのためのバルブについてのさらなる詳細は、Ｕ.Ｓ. Ｓ.Ｎ. ６０／３１５,４１７および対応する国際特許出願に記載されている。
【００６８】
反応微小空洞および固相
反応微小空洞(１０４)の外形は、好ましくは、連続的に広くおよび／または狭くなっていてもよい直線型マイクロチャンネルである。反応微小空洞の壁の少なくとも一部は、複合体の提示の測定のために使用される原理に関して、透明である。
【００６９】
反応微小空洞は、好ましくは、固相に固定化されたキャッチング・アフィニティー反応物質(catching affinity reactant)を含んでなり、これは反応微小空洞内に維持される。
【００７０】
固相は、工程(ii)において固定化された形態に形成されたアフィニテー複合体へと親和性により組み込まれ得る反応物質(捕捉用反応物質)で誘導体化される。捕捉用反応物質は、固定化された形態のリガンドまたはバインダーであり得る。
【００７１】
固相は、微小空洞(１０４)の内壁の表面、該反応微小空洞の内部を全体的または部分的に占める多孔性モノリスの内部表面、あるいは、床に充填された多孔性または非多孔性粒子の集まりであり得る。固相が粒子を含む場合には、反応微小空洞の下流末端に結合した保持手段が存在すべきである。この手段は、好ましくは、粒子が微小空洞を離れることを防止する狭窄形態、例えば仕切りの形態である。粒子の直径／サイズは、少なくとも、狭窄した部分の開口部の大きさと同じであるかそれより小さくするべきである。別の種類の保持手段は、外部から適用された磁場と組み合せられた磁気粒子である。
【００７２】
多孔性モノリスは、１つの材料で作製されてもよいし、または互いに付着した粒子を含んでもよい。
【００７３】
「多孔性粒子」なる用語は、粒子が、アフィニティー複合体へと組み込まれるべき可溶性反応物質により浸透され得ることを意味する。これは、典型的には、Ｋａｖ値がこれらの反応物質に関して０．４〜０．９５の間であることを意味する。非多孔性粒子は、同一の反応物質に関して０．４より低いＫａｖ値を有する。多孔性モノリスは、適用された液流により、マトリックスを通過する反応物質の大規模輸送が可能になるぐらいに十分に大きい孔を有する。
【００７４】
粒子は、球状または非球状であり得る。非球状粒子に関して、直径およびサイズは、「流体力学的」直径を意味する。
【００７５】
粒子は、好ましくは、単分散(単一サイズ)であり、該用語は、反応微小空洞に配置された粒子の集団中の、９５％以上の粒子が、平均粒子サイズ±５％の範囲内であるサイズ分布を有することを意味する。この範囲外の粒子の集団は、多分散(多サイズ)である。
【００７６】
固相は、複合体の測定に使用される原理のために、透明であってもなくてもよい。
【００７７】
固相中の物質、例えば粒子は、典型的にはポリマー性であり、例えば合成ポリマーまたはバイオポリマーである。「バイオポリマー」なる用語には、天然バイオポリマーに由来するポリマー鎖を含んでなる半合成ポリマーが含まれる。液流が水性である場合には、粒子および他の形態の固相は、典型的には、親水性である。この文脈において、「親水性」なる用語は、多孔性固相、例えば充填されたビーズに水が浸透することを包含する。該用語は、また、粒子の表面が複数の極性官能基(ここで、酸素、硫黄および窒素から選択されるヘテロ原子が存在する。)を露出していることを示す。適当な官能基は、ヒドロキシ基、直鎖エチレンオキシド基([−ＣＨ２ＣＨ２Ｏ−]ｎ、ｎは０より大きい整数である。)、アミノ基、カルボキシ基、スルホン基などから選択され得、ｐＨに関係なく中性である基が好ましい。疎水性粒子は、例えば親水性基を導入することにより、親水性化され得る。例えば、実験の部参照。コーティング技術は、ＷＯ ９８００７０９(Ｐｈａｒｍａｃｉａ Ｂｉｏｔｅｃｈ ＡＢ、ＡｒｖｉｄｓｓｏｎおよびＥｋｓｔｒｏｅｍ)に示された技術と同様である。
【００７８】
固定化のための技術は、当分野において一般に知られたものの中から選択され得、例えば固相への結合は、単に、共有結合、アフィニティー結合(例えば生体特異的なアフィニティー結合)、物理的吸着(主に疎水性相互作用)などを介するものであり得る。使用され得る生体特異的アフィニティー結合の例は、ストレプトアビジンとビオチニル化アフィニティー反応物質との間、高アフィニティー抗体とハプテン化アフィニティー反応物質との間などの、結合である。
【００７９】
マイクロチャンネル構造における他の機能ユニット
マイクロチャンネル構造は、また、
(１)引入れポートを介して導入された液体アリコートからの、粒状物質の分離、
(２)例えば、反応微小空洞の上流での、アフィニティー複合体の形成のために混合すること、および
(３)(ａ)反応微小空洞を通過した反応物質、または(ｂ)反応微小空洞において形成された複合体から遊離した成分、の検出
を可能にする、個別または組合せユニットを含み得る。
【００８０】
ユニット３を例外として、これらの機能ユニットが存在する場合には、反応微小空洞の上流に位置し得る。
【００８１】
粒状物質の分離のためのユニットは、典型的には、容積規定ユニットの上流に位置するか、またはこれら２つのユニットは共通のユニットにおいて組み合わせられる。
【００８２】
好適な分離ユニット、容積規定ユニットおよび混合ユニットは、Ｕ.Ｓ. Ｓ.Ｎ. ６０／３１５,４１７および対応する国際出願において与えられる。
【００８３】
追加的なユニットも存在し得る。
【００８４】
ユニット１〜２の存在は、工程(ii)のために使用されるプロトコールが、
(ii.a)分離工程、および
(ii.b)反応微小空洞において固定化された形態で保持されたアフィニティー複合体の形成を含み得る混合工程
から選択される少なくとも１つの下位工程を含み得ることを意味する。
【００８５】
分離工程は、もし使用される個々のマイクロチャンネル構造が組合せの、分離／容積規定ユニットを利用できるならば、容積規定工程と同時に行われ得る。別の場合には、特に分離工程が試料を掃除するために使用されるならば、分離工程は、典型的には、容積規定工程の上流である。混合工程が存在する場合には、それは、典型的には、容積規定工程の下流である。
【００８６】
分離検出微小空洞は、
・工程(ii)において保持された複合体から遊離した分析的に検出可能な物質、
・該複合体が酵素活性を有し、そして基質が工程(ii)のあとに反応微小空洞を通過した場合の、酵素産物、
・機能制御として反応微小空洞を通過する化合物、
・工程(ii)において保持された複合体と異なる固定化形態の複合体を保持することよる第２の被検体、
・工程(ii)および(iii)と干渉することなく反応微小空洞を通過する標準化合物(キャリブレーター)
の測定を可能にし得る。
最初の２つの選択物は、また、工程(iii)の部分であってもよい。
【００８７】
反応微小空洞における固定化された複合体の形成または解離を含んでなるプロトコール(工程(ii))
Ａ.特徴付けされていない量の被検体の測定
これらのプロトコールは、試料中の被検体の測定のために使用される生体特異的アフィニティーアッセイの中から選択される。該原理は、当分野において周知である。該プロトコールは、被検体に対する１またはそれ以上のアフィニティー対応物が、アフィニティー複合体の形成のために使用され、次いでこれが測定され、そして試料中の被検体の量と関連付けられることを包含する。アッセイ条件は、複合体の量が試料中の被検体の量の関数になるように選択される。
【００８８】
本発明において使用される態様において、測定されるべき複合体は、工程(ii)において反応微小空洞中に保持された固定化複合体に対応する。使用されたプロトコールに依存して、この複合体は、マイクロ流体デバイスに導入されたオリジナルの試料のオリジナルの被検体を含んでも含まなくてもよい。被検体の量以外の反応可変要素は、原則として、異なるマイクロチャンネル構造における実験において本質的に一定に維持される。
【００８９】
工程(ii)は、保持された複合体へと組み込まれる１またはそれ以上の追加的な反応物質の導入を含み得るが、これは工程(iii)におけるその測定を容易にするためである。同様に、工程(iii)は、工程(ii)において形成された複合体の測定に必要とされ得る１またはそれ以上の反応物質の導入を含み得る。
【００９０】
工程(iii)において測定されるべき固相と固定化複合体との間の結合を規定するアフィニティー反応物質は、製造業者により導入され、それゆえ工程(i)において提供され得る。被検体を含む他の反応物質は、後の工程において導入される。これは、逐次的に、平行的に、および／またはそれらの混合として、行われ得る。１またはそれ以上の追加的な引入れポートが使用され得る。必要ならば、アフィニティー反応物質および液体の混合は、反応微小空洞の上流に位置する個別的混合ユニット内で起こり得る。
【００９１】
本発明にしたがって、もし適切に注意されているならば、量は、拡散限定および非拡散限定条件の両方で測定され得る。流速は、原則として、意図された条件がすぐ使えることを保証するために使用され得、一般的なガイドラインは、流速の減少(滞留時間の増加)は、非拡散限定条件に好ましく、そして逆のことが拡散限定条件に好ましい。これらの法則は、主に、大分子に適用される。
【００９２】
競合／阻害プロトコール
これらのプロトコールにおいて、被検体および被検体類似体は、被検体に対する制限量のアフィニティー対応物に結合するために、互いに競合している。この対応物は、
(ａ)もし被検体類似体が可溶性でありそして分析的に検出可能であるならば、固定化されているかまたは固定化可能であり得、そして
(ｂ)もし被検体類似体が固定化されているかまたは固定化可能であるならば、分析的に検出可能であり得る。
【００９３】
出願日において、態様(ｂ)は、本発明に関して大変興味深い。この態様は、被検体およびアフィニティー対応物を、反応微小空洞に達する前に、例えばマイクロ流体デバイスの外側、または反応微小空洞の上流の個別的混合微小空洞において、プレインキュベートすることを含む。該混合物は、遊離の(＝複合体でない)アフィニティー対応物が固定化被検体類似体とともにアフィニティー複合体を形成する、反応微小空洞を通って輸送される。この複合体は、続いて、工程(iii)において測定される。
【００９４】
競合の態様は、また、２つのアフィニティー対応物を含んでなる固定化されたまたは固定化可能なアフィニティー複合体が被検体を含有する試料でインキュベートされる、置換アッセイ(displacement assay)を含む。アフィニティー対応物の１つが分析的に検出可能な被検体類似体であるならば、該被検体は複合体中の被検体類似体を置換し、このことは、また、複合体からのシグナルが変化することを意味する。
【００９５】
好適な置換アッセイは、工程(i)における反応微小空洞中の固定化された形態のこの種の複合体を提供する。工程(ii)において、被検体は、固定化複合体の被検体類似体を置換する。工程(iii)において、被検体を含む複合体の量は、反応微小空洞において直接的に、または反応微小空洞の下流の個別的検出微小空洞において遊離した分析的に検出可能な被検体類似体から間接的に、測定される。
【００９６】
競合の態様は、特に、２またはそれ以上のアフィニティー対応物を同時に結合させることが困難な被検体、すなわち比較的小さい分子に適用される。
【００９７】
非競合プロトコール
これらのプロトコールは、典型的には、被検体に対する非限定量の１またはそれ以上のアフィニティー対応物を利用する。
【００９８】
最も重要な非競合プロトコールは、被検体が２つのアフィニティー対応物の間に挟まれる、固定化されたまたは固定化可能な複合体の形成を含んでなるサンドイッチ・プロトコールである。１つの対応物は分析的に検出可能であり、そして他方の対応物は固定化されるかまたは固定化可能であり、そしてまた、できる限り、分析的に検出可能である。該サンドイッチ複合体は、工程(iii)において測定される。
【００９９】
別の非競合の態様は、固定化されたまたは固定化可能な形態の、被検体に対する単独のアフィニティー対応物を利用する。この場合において、複合体形成は、固定化された複合体、またはその後に固定化される可溶性複合体をもたらす。固定化複合体自体は、工程(iii)において測定され得る。１つの態様において、固定化されたまたは固定化可能なアフィニティー対応物は、被検体がアフィニティー対応物に結合したときに、シグナルが変化する分析的に検出可能な基で標識される。
【０１００】
非競合プロトコールは、２またはそれ以上のアフィニティー対応物に同時に結合できる分子、すなわち大分子に関して最も大きい可能性を有する。
【０１０１】
分析的に検出可能な反応物質
「分析的に検出可能な」なる語は、アフィニティー反応物質が、工程(iii)において測定されるべき複合体の形成に関与する他のアフィニティー反応物質から分析的に区別され得ることを意図する。検出能は、反応物質の固有の性質、例えば固有の生物学的機能、例えば酵素の酵素活性、またはさまざまなＩｇクラスもしくはサブクラスのＦｃレセプター結合活性、または、例えば分析的に検出可能なタグまたは標識、例えばビオチン(＝アフィニティー・ラベル)、酵素、クロモゲン、フルオロゲン(fluorogen)、フルオロフォア、化学発光基、放射性基などで標識することにより個別的に導入された官能性に由来し得る。検出能には、また、形成された複合体がそれ自体で、例えば溶液の光学的性質を変化させることなどにより、検出可能であることも含まれる。
【０１０２】
検出可能な標識は、複合体が形成または解離した場合に、標識が適当なシグナルを与えるように選択される第２の標識と組み合わせられ得る。この態様は、トリチウムで標識された可溶性アフィニティー反応物質が、シンチレーション物質を含んでなる固相とともに使用される、シンチレーション近接アッセイ(ＳＰＡ)を用いて例示され得る。トリチウム標識がこの種の固相に結合した複合体に組み込まれた場合、シグナルが現れる。相互作用性標識の原理は、また、同一または異なっていてもよいフルオロフォアの対を用いて、および蛍光−クエンチャーの対を用いても例示され得る。
【０１０３】
平行して稼動するいくつかの試料の例示的態様
工程(i)：マイクロ流体デバイスは上で議論した通りであり、そしてｋ個のマイクロチャンネル構造(ｋは、２またはそれ以上の整数である。)を含んでなり、これらはそれぞれ、被検体に対する固定化されたアフィニティー対応物またはこのような対応物の組合せを含んでなる。アフィニティー対応物は、マイクロチャンネル構造間で異なっていても、異なっていなくてもよい。アフィニティー対応物は、好ましくは、アフィニティー複合体が保持されるべき反応微小空洞に位置する。
【０１０４】
工程(ii)：未知の量の被検体を含む液体アリコート(アリコート１)を、アフィニティー対応物を含むｋ個のマイクロチャンネル構造のうちのｎ個に、すなわち、アリコート１１をマイクロチャンネル構造１に、アリコート１２をマイクロチャンネル構造２に・・・そして、アリコート１ｎをマイクロチャンネル構造ｎ(ここで、ｎは、ｋと等しいかまたはそれより小さい整数である。)に、導入する。可能であれば、既知の量の被検体を含むアリコートも、もしあれば、残りのマイクロチャンネル構造のうちの少なくともｍ個に、すなわち、アリコート１ｎ＋１をマイクロチャンネル構造ｎ＋１に、アリコート１ｎ＋２をマイクロチャンネル構造ｎ＋２に・・・そしてアリコート１ｎ＋ｍをマイクロチャンネル構造ｎ＋ｍ(ここで、ｍは、ｎ＋ｍがｋと等しいかまたはそれより小さくなるような整数である。)に、導入する。それらの可能性のある含有量の被検体を有するアリコートは、次いで、固定化複合体が個々のマイクロチャンネル構造の反応微小空洞において流動条件下で保持されるように、マイクロチャンネル構造を通して輸送される。被検体を含まないアリコートに関して、複合体は形成されない。
【０１０５】
工程(iii)および(iv)：個々の反応微小空洞における固定化複合体の量を測定し、そして対応する出発アリコート／試料中の被検体の量と関連付ける。
【０１０６】
反応物質およびそれらの添加に関して、上で議論したのと同様のプロトコールが下記のＢ〜Ｆの態様のために使用され得る。これらの態様において、限定量および非限定量を使用することに対する要求は、比較的重要でなくてもよい。Ｂ〜Ｄの変法に関して、使用されたアフィニティー反応物質の濃度および／または相対量は、典型的には、本発明にしたがういくつかの平行的実験に関して、本質的に一定である。Ｂ〜Ｆの態様は、主として、非拡散限定条件下で実施される。
【０１０７】
Ｂ．可能性のあるバインダー候補物質のライブラリーからのバインダー(被検体)の選択
２つの好適な態様は：
Ａ)ライブラリーからの異なるバインダー候補物質および／またはバインダー候補物質の組合せが、工程(i)において提供されたマイクロ流体デバイスの２またはそれ以上のマイクロチャンネル構造において固定された形態で使用される。可溶化形態の既知の共通リガンドが、工程(ii)において固定化複合体を形成するために使用される。
Ｂ)同じ既知の固定化リガンドが、工程(i)において提供されたマイクロ流体デバイスの２またはそれ以上のマイクロチャンネル構造中に存在する。個々のマイクロチャンネル構造に対して、単一のバインダー候補物質または異なるバインダー候補物質の組合せが、工程(ii)において、個々のマイクロチャンネル構造に導入され得る。
【０１０８】
特定のマイクロチャンネル構造の反応微小空洞における、比較的程度の大きい複合体形成は、そのマイクロチャンネル構造において使用されたバインダーが、別のマイクロチャンネル構造において比較的程度の小さい複合体形成を与えるバインダーよりも、アフィニティー複合体を形成する傾向が強いことを示唆する。これは、他の反応可変要素が本質的に一定に保たれていることを前提とする。
【０１０９】
他の態様に関して、反応微小空洞中のより多いまたはより少ない量の保持複合体の意義は、使用された特定のプロトコールに依存する。一定のプロトコールに関して、より多い量は、より少ない量をもたらすバインダーと比較した場合に、より効率的なバインダーを示唆する。他のプロトコールに関しては、反対のことが当てはまる。
【０１１０】
(ａ)および(ｂ)の両方の態様において、反応条件は、個々のマイクロチャンネル構造の間で異なっていても、異なっていなくてもよい。
【０１１１】
好適なプロトコールは、下記の変法Ｆと同一である。
【０１１２】
形成されたアフィニティー複合体は、さらに、複合体中のバインダーの性質、例えば構造、結合特性、生物学的機能などに関して、特徴付けされ得る。
【０１１３】
Ｃ．所定のアフィニティー対に適した固定化技術および／または固相の決定
この場合において、少なくとも固相に結合したアフィニティー反応物質のための固定化技術および／または固相自体は、２またはそれ以上のマイクロチャンネル構造間で異なる。この相違は、物理的吸着、共有結合的架橋の種類を含む共有結合、アフィニティー固定化に使用されたアフィニティー反応物質、固相の種類などの条件に関連し得る。
【０１１４】
反応微小空洞中のより多いまたはより少ない量の保持複合体の意義は、使用されたプロトコールに依存する。一定のプロトコールに関して、より多い量は、より少ない量を与える技術と比較した場合に、結合に好ましい固定化技術および／または固相を示唆する。他のプロトコールに関しては、反対のことが当てはまる。
【０１１５】
Ｄ．液体に関連した適当な反応条件の決定
この場合において、液体に関連した少なくとも１つの反応可変要素は、マイクロ流体デバイス中の２またはそれ以上のマイクロチャンネル構造間で変動する。典型的な反応可変要素は、ｐＨ、温度、イオン強度、複合体形成のインヒビターまたはプロモーターの量、水素結合破壊剤(hydrogen-bond breaking agent)、洗浄剤、およびマイクロチャンネル構造中の流速などである。
【０１１６】
より多いまたはより少ない量の保持複合体の意義は、使用されたプロトコールに依存する。一定のプロトコールに関して、より多い量は、より少ない量を与える技術と比較した場合に、結合に好ましい固定化技術を示唆する。他のプロトコールに関しては、反対のことが当てはまる。
【０１１７】
Ｅ．アフィニティー複合体の解離への適合性に関しての、リガンドおよび／またはバインダーの測定
これらのプロトコールは、典型的には、リガンドとバインダーとの複合体が前分散され、そして反応微小空洞中で固定化形態に前形成される、マイクロチャンネル構造から開始する。該複合体は、分析的に検出可能な反応物質を含有し得る。複合体が解離すると、分析的に検出可能な反応物質が複合体から遊離し、そして複合体の残りの量が、反応微小空洞において直接的に、または反応微小空洞の下流に位置する個別的検出微小空洞中に遊離した反応物質の量として間接的に、測定され得る。代わりに、固相と結合を形成するアフィニティー対応物は、他の対応物の遊離の関数として変化する標識を含んでなる。
【０１１８】
変動し得る適当な反応可変要素は、上の「定義」で与えられる。
【０１１９】
Ｆ．複合体形成の定性面の測定
本発明は、反応微小空洞に保持された固相上のアフィニティー複合体の形成または解離中の流動条件に適用される。流れの方向に沿った固相(反応微小空洞)における複合体の分配が、アフィニティー定数および使用された条件下での会合および解離の速度などを反映すること、ならびに該分布は、バインダーとリガンドの種類およびそれらの濃度、および固相上の置換の程度および有用性、固相の種類、ｐＨ、イオン強度、流速などのようなさまざまな要因に依存することが認識され得る。
【０１２０】
したがって、結合の定性面の正確な情報は、この分配を、例えば流れの方向に沿って、固相(反応微小空洞)の位置の関数としての複合体の局所量として、測定することにより達成され得ることが認識され得る。
【０１２１】
滞留時間のチャンネル間変動に対する要求は厳格であり、例えば該変動は、平均滞留時間±７５％、例えば±５０％または±２５％または±１０％または±５％の範囲内であるべきである。
【０１２２】
単純な場合は、個々のメンバーが類似のサイズである化合物(＝バインダー)のライブラリーで開始される。次いで、ライブラリーは、２またはそれ以上のマイクロチャンネル構造が反応微小空洞において固定化されたリガンドを有するマイクロ流体デバイスにおいて、本発明にしたがって試験される。化合物は同一のサイズであるので、分散はライブラリーのメンバーに関して本質的に同一である。したがって、固相の流れの方向の位置の関数としての複合体の局所量は、特定のマイクロチャンネル構造において複合体を形成した、化合物とリガンドとの間のアフィニティーを反映する。急斜面領域(sharp zone)、例えば固相(反応微小空洞)の最初の部分におけるものは、さらに下流に位置するより広くより拡散した領域よりも、より強い親和性を示し得る。
【０１２３】
固相(反応微小空洞)における複合体の分配は、また、例えば上の変法Ａで議論した種類のアッセイに関する機能試験としても使用され得る。
【０１２４】
この革新的変法は、固定化リガンドとバインダーとの間の結合反応が反応微小空洞において起こること、ならびに形成された複合体が工程(iii)において測定されることを要求する。固定化リガンドは、複合体の形成前に導入され得る。リガンドおよびバインダーは、形成された複合体が反応微小空洞において十分な量で保持され得ることを条件として、ライブラリーのメンバーに関して上で与えた任意のアフィニティー対応物であり得る。
【０１２５】
典型的には、固定化リガンドは、無制限の量で存在する。工程(iii)における測定を容易にするため、適切に選択された検出可能な反応物質には、工程(i)〜(iii)のうちの１つまたはそれ以上、例えば、ａ)固定化リガンドは、固定化複合体の形成後にそのシグナルが変化する標識を有し得、ｂ)バインダーは、工程(ii)において形成された複合体が標識を含んでなる標識手段を有し得、ｃ)バインダーに対する可溶性分析的検出可能なアフィニティー対応物が、サンドイッチプロトコールにおいて使用される、などが含まれ得る。
【０１２６】
可能性のある興味深い態様には、極めて近接した場合に互いに相互作用する２つの標識を使用することが含まれる。典型例は、リガンドがトリチウムで標識されたシンチレーション近接アッセイ(ＳＰＡ)であり、そして固相はシンチレーション物質を含んでなる。ＳＰＡは、相互作用特性に関して、医薬候補物質、アフィニティーリガンドのスクリーニングなどに広範な使用が見出される。
【０１２７】
他の興味深い態様には、サンドイッチプロトコール、および本発明のこの態様におけるバインダーが被検体に置換されることを条件として、変法Ａに関して上に記載した置換プロトコールが含まれる。
【０１２８】
バインダーに対する可溶性分析的検出可能なアフィニティー対応物は、好ましくは、バインダーが大きくそして、典型的にはサンドイッチプロトコールにおいて２つのアフィニティー対応物に同時に結合できる場合に、使用される。上で述べた他の標識反応物質は、小さいバインダーに関して大きな利点を有する。
【０１２９】
本発明のこの観点の文脈において、上記「定義」で定義したライブラリーのさまざまなメンバーに関連して、複合体、バインダーおよび／またはリガンドの相対親和性を測定することは、興味深いことであり得る。
【０１３０】
拡散制限されていない機械的反応に流速を適用することにより、研究される主要な特徴は、アフィニティー定数である。これは、特に、大きい場合のアフィニティー反応物質に当てはまる。
【０１３１】
形成されたアフィニティー複合体それ自体が測定されることを意味する態様は、また、この変法(Ｆ)において使用することもできる。
【０１３２】
試料
本革新的方法の１つの実験において使用される試料は、試料のコレクション(ライブラリー)に相当する。コレクションの少なくとも２つのメンバーは、特徴付けされるべき反応可変要素(複数も可)に関して異なる。
【０１３３】
可溶性分子により定義される反応可変要素に関して異なる試料は、工程(ii)または工程(iii)においてマイクロチャンネル構造の引入れポートへと導入され得る。反応可変要素が不溶性物質(固相、固定化技術など)により定義される場合には、ライブラリーは、好ましくは、マイクロ流体デバイスとともに工程(ii)において提供される。
【０１３４】
異なるプロトコールは、異なる種類の試料を必要とし得、その逆もあり得る。
【０１３５】
上記の変法ＡおよびＢに関して、試料は、典型的には、アリコート１を提供するためにさまざまな方法で処理された全血、血漿、血清、軟膜、血球、精液、髄液、リンパ液、涙液、腹水、組織、細胞溶解物からの上清、細胞培養物などのような生物学的物質に由来する。また、合成的に製造されたオリゴ−およびポリペプチド、オリゴ−およびポリヌクレオチド、生物学的分子または相互作用を潜在的に模倣している化合物などのような、合成的に製造された生物学的物質も含まれる。
【０１３６】
他の変法に関して、試料は、典型的には、多少合成的である。
【０１３７】
特定のプロトコールに依存して、変法Ｆは任意の上記の種類の試料を利用し得る。
【０１３８】
測定および特徴付け(工程(iii)および工程(iv))
工程(iii)における測定は、ａ)流れの方向に沿って反応微小空洞(固相)におけるアフィニティー複合体の分配、またはｂ)反応微小空洞中の複合体の総量を測定することを含んでなる。後者は、この量が総量を代表する限りは、測定が反応微小空洞の一定の部分においてのみ行われることを含む。変法(ａ)は、特に、上記の変法(Ｆ)に当てはまる。
【０１３９】
分析的に検出可能なアフィニティー反応物質を利用することにより固相に固定化された免疫複合体を測定する数多くのさまざまな方法は、当分野において既知である。原則として、それらのほとんどは、本発明において使用され得る。
【０１４０】
典型例は、化学ルミネセンス、バイオルミネセンス、レーザー誘起蛍光法(ＬＩＦ)の特定の強調を有する蛍光などに基づく分光学的方法である。本明細書において別途記載したように、これらの分光学的原理は、対応する分析的に検出可能な基(標識)で標識された反応物質をしばしば利用する。他の原理は、複合体自体からの放射されるシグナル、例えば濁度測定に基づく。
【０１４１】
既に議論したように、工程(iii)は、分析的に検出可能なアフィニティー反応物質が測定を促進するために導入される下位工程を含み得る。
【０１４２】
特徴付け工程(工程(iv))は、工程(iii)において測定された値が試料中の特徴付けされていない反応可変要素を特徴付けするために使用されることを意味する。これは当分野においてよくあることであり、さらなるコメントを必要としない。本発明の方法が未知の物質の結合能をもたらす場合には、該物質を同定するための特徴付けは本発明の方法的観点において導入され得る。
【０１４３】
ベストモード(best mode)は、実験の部において提示された実験に相当する。
【０１４４】
本発明の分離的観点
本発明の分離的観点は、流動におけるチャンネル間変動を減少させるための構造ユニット(下位構造)である。該ユニットを図３に示す。該ユニットは、(ａ)引入れ微小導管(３０２)、(ｂ)反応が制御された流動条件下で起こる微小空洞(３０４)、および(ｃ)引出し微小導管(３０５)を含んでなる。このデバイスは、微小空洞(３０４)におけるおよび／または微小空洞(３０４)の下流の引出し微小導管(３０５)における圧力差を生み出すための手段が存在し、その結果、引入れ微小導管(３０２)を介して導入された試料のためのマイクロ流体デバイス内の滞留時間のチャンネル間変動が、上で議論した範囲内になる。微小空洞を通過する適当な流速は、典型的には、上で与えた範囲内である。圧力差を生み出す手段は、本明細書の前の方で概説した通りである。
【０１４５】
この革新的観点の好適な態様において、また、図１ａおよびｂにおいて示されたような引入れ微小導管と合流している追加的な微小導管(図１ａにおける１０３、３０６)が存在する。この追加的な微小導管は、さまざまな機能(通気、引き入れなど)を有し得、そして典型的には、反応微小空洞(３０４)との接合部の極めて近くで、引入れ微小導管(３０２)と交差する。
【０１４６】
図１ａおよびｂ、ならびに図２に関して議論したように、この好適な下位構造を含んでなるマイクロチャンネル構造は、対称軸を有する基板上に存在し得、そして引入れ微小導管(３０２)および追加的導管(図１ａにおける１０３)が引出し導管(３０５)よりも大きい半径距離に位置するように、かつ、反応微小空洞が中間の半径距離(３０４)に位置するように、配列され得る。基板は、対称軸(回転軸)から放射状に外側に方向付けされ、そして回転軸のまわりの２またはそれ以上の環状ゾーン(リング)、またはそのようなゾーンのセクターを規定するために配置された、複数のこの種類のマイクロチャンネル構造／下位構造を含み得る。この観点にしたがって、同一の環状ゾーン中のマイクロチャンネル構造は、同一の半径距離に位置し、一方、他の環状ゾーンの下位構造は、異なる半径距離に位置する。外側の位置での遠心力は内側の位置よりも大きいことが知られているので、もし流体力学的断面積が一定に保たれ、そして同一の液流が基板上でこの種のすべてのマイクロチャンネル構造に望まれるのであれば、外側の環状ゾーン中の引出し微小導管(１０５、３０５)は、内側の環状ゾーンにおけるものよりも長いべきである。
【０１４７】
したがって、設計(流体力学的断面積および／または長さ)を変更することにより、反応微小空洞を通過する同一の流速を維持しながら、異なる半径距離に既に記載した下位構造を含んでなるいくつかのマイクロチャンネル構造を設置することが可能である。逆に、この概念は、反応微小空洞を通過する流速が十分に規定された方法において相違するマイクロチャンネル構造が存在するマイクロ流体デバイスを構築することを可能にする。
【０１４８】
本発明のこの観点は、本発明の方法的観点(反応可変要素を特徴付ける方法)において有用である。この観点は、また、制御された液流が有益である、例えばマイクロフォーマットにおけるマイクロタイタレーション(microtitration)および化学合成において有益である、他のマイクロ流体応用法に、ならびに試薬の制御された混合または制御された添加が必要とされる他の状況にも有用であり得る。
【０１４９】
下記の特許出願は、本明細書において議論される。これらのすべて、特に米国を指定国とするＷＯ出願を、引用により本明細書の一部とする。
ＷＯ ９１１６９６６、９６１５５７６、ＷＯ ９７２１０９０、ＷＯ ９８００７０９、９８０７０１９、ＷＯ ９９５８２４５、ＷＯ ００５６８０８、ＷＯ ０１４６４６５、ＷＯ ０１４７６３７、ＷＯ ０１５４８１０、ＷＯ ０１８５６０２、ＵＳ ６０／３１５,４７１および対応する国際特許出願、Ｕ.Ｓ. Ｓ.Ｎ. ６０／３２２,６２２および２００２年１月３１日に出願されたその一部継続出願。
【０１５０】
実験の部
図１〜２は、本実験において使用された構造を示す。
完全ミオグロビンアッセイを、コンパクトディスク(ＣＤ)と同じ大きさのディスクにおいて行った。使用されたディスクにおいて、２４の類似の構造(１０１、２０１)が平行して存在し、そして該構造は、それぞれ、１２の構造を含む２つのセットに分けられた(図２において１つのセットのみを示す。)。共通の分配チャンネル(１１９、２１９)を該１２の構造につなぎ、これを通って、緩衝液および試薬は、引入れポート(２０９)または引入れポート(２１０)のいずれかを経由して該１２の反応構造に分配される。すべての構造は、また、試料受取り構造(１１１)を有するように設計された個別的引入れユニット(１０８、１１４)を有し、これは容積規定機能を有する。チャンネルの大きさは、図１ａ〜ｂにおいて示される。
【０１５１】
反応構造における毛管作用を達成するために、ＣＤの表面をＯ２−プラズマで処理し、続いて、プラスチックの蓋をＣＤにラミネーティングする。標準的手順にしたがって、すべての構造をＰＥＧ−ＰＥＩでインキュベートした。ＷＯ ００５６８０８(Ｇｒｙｏｓ ＡＢ)およびＷＯ ０１４７６３７(Ｇｒｙｏｓ ＡＢ)。ＰＥＧ−ＰＥＩ分子は、表面に結合し、そして、低いタンパク質吸着の層を確立する。ＰＥＧ−ＰＥＩインキュベーションの後、該構造を水で徹底的に洗浄した。
【０１５２】
イムノアッセイは、自動化されたシステムにおいて行われた。該システム(プロトタイプ装置、Ｇｙｒｏｓ ＡＢ、ウプサラ、スウェーデン)に、ＣＤ−スピナー、マイクロタイタープレート(ＭＴＰ)用ホルダーおよびシリンジポンプおよび８スリットピンにつながったキャピラリーのためのホルダーを有するロボットアームを備え付けた。キャピラリーは、すべての試薬および緩衝液を、ＭＴＰからディスク中の共通分配チャンネル(１１９)の２つの引入れユニット(２０９、２１０)のいずれかに、移動させた。スリットピンは、個々の試料を、ＭＴＰからディスク中の個々の試料引入れユニット(１０８)へと移動させた。
【０１５３】
プロトタイプ装置は、アプリケーション特異的なソウフトウェアにより制御された十分に自動化されたロボットシステムである。試料または試薬を含むマイクロプレートは、システム内の回転トレー(carousel)に蓄えられる。高精度ロボットが、サンプルを、マイクロプレートまたは容器からＣＤのミクロ世界(microworld)へと移動させる。ＣＤは、試料および試薬の添加のために、回転ステーション(spinning station)へと動かされる。ソフトウェア内でのアプリケーション特異的方法は、正確に制御された速度で回転を制御し、添加が進行するにつれてマイクロ構造を通過する液体の動きを制御する。
【０１５４】
ポリスチレン粒子(１５μｍ、Ｄｙｎａｌ Ｐａｒｔｉｃｌｅｓ ＡＳ、ノルウェー)を、固相のために選択した。ビーズを、疎水性表面を作成するためにフェニル−デキストランの受動的吸着により修飾し、そして続いて、ＣＤＡＰ化学を用いてモノクローナル抗ミオグロビン８Ｅ.１１.１(ＬａｂＡｓ、Ｔａｒｔｕ、エストニア)で共有結合させた(Kohn & Wilchek, Biochem. Biophys Res. Comm. 107 (1982) 878-884)。
【０１５５】
抗体との結合後、該粒子の懸濁液を、引入れユニット(１０９)を介して共通分配チャンネル(１１９)中に分散させ、そして、遠心力により該構造中を移動させた。通気口(１２２)と組み合わせられた遠心力は、それぞれが引出し導管(１０５)の前の二重の深度(dual depth)に反して反応微小空洞(１０４)において充填された粒子の床(カラム)を形成する、チャンネル中で懸濁液を等しい割合で分割する。カラムのおおよその容積は１０ｎｌであった。カラムを、共通分配チャンネル(１１９)を介して０．１５Ｍ ＮａＣｌ含有０．０１Ｍ リン酸緩衝液(ｐＨ７．５)で１回洗浄した。溶液のすべての添加により、個々のカラムに２００ｎｌの液体が送達される。１回の添加の洗浄液は、カラムの容積の２０倍であり、これにより非常に効率的な洗浄が保証される。
【０１５６】
該システムにおけるミオグロビンアッセイを例示するために、６点標準曲線を作成した。０〜１６２０ｎｇ／ｍｌの範囲の濃度を有するミオグロビン試料(ＰＢＳ中で希釈、１％ＢＳＡ)を、スリットピンにより個々の引入れユニットへと分配させた。１００ｎｌの試料容積は、試料受取り構造(１１１)において(スピンフロー法における最初の２つの工程の間に)規定された。(ミオグロビンが結合する)捕捉工程での好適な動的条件を達成するために、試料の流速は１ｎｌ／秒を超えるべきではない。試料の流速は、回転速度(スピンフロー１)により制御された。試料の捕捉後、カラムをＰＢＳ、０．０１％Ｔｗｅｅｎの添加により２回洗浄し、共通分配チャンネル、続いて回転工程へと移行した。次に、過剰の検出抗体を、共通分配チャンネルを介して加えた。これらは、モノクローナル抗ミオグロビン２Ｆ９．１(ＬａｂＡｓ、Ｔａｒｔｕ)であり、そして、同様の遅い流速(スピンフロー２)が使用された。検出抗体を、フルオロフォアＡｌｅｘａ６３３(Ｍｏｌｅｃｕｌａｒ Ｐｒｏｂｅｓ、Ｅｕｇｅｎｅ、ＵＳＡ)で標識した。過剰の標識抗体を、ＰＢＳ−Ｔを４回添加することにより洗浄した。
【０１５７】
完全アッセイをレーザー誘起蛍光(ＬＩＦ)検出器で分析した。ディスクを回転させながら、検出器をカラムに沿って放射状に動かした。結果を図４に示す。シグナル強度は、典型的には、カラムの頂部に集中した。
【０１５８】
レーザー誘起蛍光(ＬＩＦ)モジュールの設計は、実験において使用されたマイクロ流体デバイス(ＣＤ規格のディスク)における蛍光の定量的測定のために構築された。
【０１５９】
ディスクを、回転可能な軸上でモーターにより回転させた；速度は、６０から３０００ｒｐｍへと変動し得た。エンコーダーおよびＣＤ上に固定されたホームポジションにより、目的の個々の構造の位置を、ファイル中に保存し得た。
【０１６０】
ピックアップヘッドを作成した。これは、ビームがダイクロイックミラー(dichroic mirror)で反射し、そして５倍の対物レンズを通してディスク中の目的の構造に焦点が合わせられたレーザーからなる。エピ蛍光は、ダイクロイックミラーおよび帯域フィルターを通過し、すぐに蛍光色素を最適化した。これは、非球面レンズによりＰＭＴ上に焦点を合わせられた。
【０１６１】
構造を横切るシグナルを測定しながらディスクを回転させることにより、構造中の蛍光に対応する痕跡が得られた。ディスクを回転させながら放射方向のモーターのピックアップ手段を動かすことにより、構造中の総蛍光が測定された。
【０１６２】
検出器は、Ｕ.Ｓ. Ｓ.Ｎ. ６０／３２２,６２２、ＳＥ０１０３１１８−６、ＳＥ０１０４４６−９および２００２年１月３１日に出願された米国特許出願(回転マイクロ流体デバイスにおける測定のための配置および方法 "Arrangement and method for measurement in spinning microfluidic devices")に記載されている。
【０１６３】
本システムにおける実験方法の概説は、表２に示される。
【表１】2004529336.tif 000003
【０１６４】
本発明の一定の革新的観点は、添付の特許請求の範囲においてさらに詳細に定義される。本発明およびその効果を詳細に記載したが、さまざまな変更、置換および改変が、添付の特許請求の範囲により定義される本発明の精神および範囲から逸脱することなく成し得ると理解されるべきである。さらに、本願の範囲は、本明細書に記載した製法、機器、製造、合成物、手段、方法、および工程の特定の態様に限定しようとするものではない。当業者が本発明の開示から容易に認識するように、本明細書に記載の対応する態様と実質的に同じ機能を発揮し、同じ結果を達成する既存のまたは将来開発されるであろう製法、機器、製造、合成物、手段、方法、または工程は、本発明によって利用することができる。したがって、添付の特許請求の範囲はかかる製法、機器、製造、合成物、手段、方法、または工程をその範囲内に包含するものである。
【図４】
2004529336.tif 000004
【国際公開パンフレット】
2004529336.tif 000005
2004529336.tif 000006
2004529336.tif 000007
2004529336.tif 000008
2004529336.tif 000009
2004529336.tif 000010
2004529336.tif 000011
2004529336.tif 000012
2004529336.tif 000013
2004529336.tif 000014
2004529336.tif 000015
2004529336.tif 000016
2004529336.tif 000017
2004529336.tif 000018
2004529336.tif 000019
2004529336.tif 000020
2004529336.tif 000021
2004529336.tif 000022
2004529336.tif 000023
2004529336.tif 000024
2004529336.tif 000025
2004529336.tif 000026
2004529336.tif 000027
2004529336.tif 000028
2004529336.tif 000029
2004529336.tif 000030
2004529336.tif 000031
2004529336.tif 000032
2004529336.tif 000033
2004529336.tif 000034
2004529336.tif 000035
2004529336.tif 000036
2004529336.tif 000037
2004529336.tif 000038
2004529336.tif 000039
2004529336.tif 000040
2004529336.tif 000041
2004529336.tif 000042
2004529336.tif 000043
2004529336.tif 000044
2004529336.tif 000045
2004529336.tif 000046
2004529336.tif 000047
2004529336.tif 000048
2004529336.tif 000049
2004529336.tif 000050
2004529336.tif 000051
2004529336.tif 000052
【国際調査報告】
2004529336.tif 000053
2004529336.tif 000054